(57)【要約】    【課題】  授乳用ブラジャーを着用する産婦の胸部を冷やし、授乳期の産婦を快適にする。    【解決手段】  産婦の胸部の左右の乳房を被覆する左右の前身頃を開閉可能にした前開き構造の授乳用ブラジャーにおいて、左右の前身頃１、２の裏側に、それぞれ、冷却具を出し入れする冷却具挿入部２３を設けた。冷却具は、冷却されて低温になった状態で使用し、使用中に周囲から熱を吸収し、周囲を冷却する機能を有する。冷却具挿入部は、産婦胸部側の壁を冷却緩和用の布２１で構成し、冷却具挿入部に入れた冷却具が産婦の胸部に冷却緩和用布を介して接触する構成にした。【選択図】  図１
0003129647.tif 000002
【実用新案登録請求の範囲】
【請求項１】
産婦の胸部の左右の乳房を被覆する左右の前身頃を開閉可能にした前開き構造の授乳用ブラジャーにおいて、
左右の前身頃の裏側に、それぞれ、冷却具を出し入れする冷却具挿入部を設け、
冷却具は、冷却されて低温になった状態で使用し、使用中に周囲から熱を吸収し、周囲を冷却する機能を有し、
冷却具挿入部は、産婦胸部側の壁を冷却緩和用布で構成し、冷却具挿入部に入れた冷却具が産婦の胸部に冷却緩和用布を介して接触する構成にしたことを特徴とする授乳用ブラジャー。
【請求項２】
冷却具挿入部に入れた冷却具が胸部の乳房の外側部に冷却緩和用布を介して接触する構成にしたことを特徴とする請求項１に記載の授乳用ブラジャー。
【請求項３】
冷却具挿入部に入れた冷却具が胸部のわきの下と乳頭の間の中間部位に冷却緩和用布を介して接触する構成にしたことを特徴とする請求項１又は２に記載の授乳用ブラジャー。
【考案の詳細な説明】
【技術分野】
【０００１】
本考案は、産婦が授乳期に着用する授乳用ブラジャーに関する。
【背景技術】
【０００２】
授乳用ブラジャーは、産婦が授乳し易くするため、産婦の左右の乳房を被覆する左右の前身頃を開閉可能にして前開き構造にしている。
【０００３】
特許文献１の授乳用胸帯は、乳房から漏れ出た母乳で着衣が汚れるのを防止するため、左右の前身頃の裏側に、それぞれ、ガーゼなどの母乳吸収材を保持するポケット部を設けている。ポケット部は、左前身頃又は右前身頃の裏面に、その内側縁と下側縁にかけて略Ｌ字形状に形成している。略Ｌ字形状のポケット部には、長方形板状の母乳吸収材の内端部と下端部を挿入し、母乳吸収材の乳房側の面、表面の中央部をポケット部外に露出している。母乳吸収材は、その中央部が乳房の乳頭部分に接触する状態に保持される。
【０００４】
特許文献２のマタニティ乳房管理ブラジャーは、左右の前身頃のカップ部の裏側に、それぞれ、乳房を包み込む母乳パッドを保持するポケットを設けている。ポケットは、左前身頃又は右前身頃の裏面に、その外側縁と下側縁にかけて略三角形状に形成している。略三角形状のポケットには、円形状の母乳パッドの外下端部を挿入し、母乳パッドの外下端部以外の部分の乳房側の面、凹面をポケット外に露出している。母乳パッドは、その凹面に乳房が嵌まって接触する状態に保持され、乳漏れによる着衣の汚れを防止する。
【０００５】
【特許文献１】実開昭５７−８３１０１号公報
【特許文献２】実公平３−３５２５号公報
【考案の開示】
【考案が解決しようとする課題】
【０００６】
［背景技術の課題］
産婦は、授乳期に、乳房が母乳を含んで膨張する。乳房が張っているときは、産婦は、母乳が充満した乳房に痛みや違和を感じ、快適ではない。また、母乳を幼児に飲ませたときに、母乳が乳房に残ることがある。乳房に母乳の飲み残しがあると、産婦は、母乳が残った乳房に不快を感じる。
【０００７】
更に、産婦は、胸部のわきの下と乳頭の間の中間部位に副乳と言われる乳房があると、副乳が授乳期に腫れることがある。副乳のある産婦は、副乳が腫れると、膨れた副乳に痛みや不快を感じる。
【０００８】
［課題を解決するための着想］
授乳期の産婦には、次のような傾向があるようである。産婦は、母乳で張っている乳房を冷やすと、痛みや違和が軽減する。快適になる。また、乳房に母乳が飲み残っているときは、母乳の飲み残しは、左右の乳房の外側部に多く存在する。産婦は、母乳が残った左右の乳房を、特にそれらの外側部を冷やすと、不快感が軽減する。更に、産婦は、胸部の腫れている副乳を冷やすと、痛みや不快が軽減する。即ち、授乳期の産婦は、胸部を冷やすと、気持ちが良くなる。
【０００９】
そこで、これらの知見に基づき、授乳用ブラジャーは、産婦の胸部、左右の乳房や副乳を冷やすため、左右の前身頃の裏側に、それぞれ、冷却具を出し入れする冷却具挿入部を設けることにした。
【００１０】
冷却具は、冷凍庫や冷蔵庫で冷却されて低温になった状態で使用し、使用中に周囲から熱を吸収し、周囲にある胸部、乳房や副乳などを冷却する。この冷却具は、ほぼ常温になって冷却能力がほぼなくなると、低温状態の冷却具と取り替える。冷却具には、入手の容易な食品保冷具を使用することができる。食品保冷具は、合成樹脂フイルムの袋にゲル状の高分子化合物の保冷剤を密封している。この保冷具は、家庭などにある冷凍庫に入れて内部の保冷剤を凍らせて低温にする。冷凍低温状態にされた食品保冷具は、授乳用ブラジャーの冷却具挿入部に入れて使用する。この食品保冷具は、周囲の胸部、乳房や副乳などから熱を吸収し、保冷剤が解凍して常温になる。ほぼ常温になった食品保冷具は、冷却具挿入部から取り出す。冷却具挿入部には、入れ替えに、冷凍低温状態の食品保冷具を入れる。
【００１１】
冷却具挿入部は、産婦胸部側の壁を冷却緩和用の布、例えば厚手の布で構成する。授乳用ブラジャーは、冷却具挿入部に低温状態の冷却具を入れて産婦が着用すると、その冷却具は、冷却具挿入部の産婦胸部側の壁、冷却緩和用布を介して胸部、乳房や副乳に接触する。産婦の胸部、乳房や副乳は、低温状態の冷却具で冷却緩和用布を介して穏やかに冷やされる。また、冷却具挿入部内の冷却具は、産婦の胸部に直接に接触せず、冷却緩和用布を介して間接に接触する。低温状態の冷却具が産婦の胸部の肌に直接接触することによる凍傷などの弊害を防止する。
【００１２】
更に、冷却具挿入部は、冷却具が冷却緩和用布を介して乳房の外側部に接触する構成にする。母乳の飲み残しが多い乳房の外側部を重点的に冷やす。
【００１３】
また、冷却具挿入部は、冷却具が冷却緩和用布を介して胸部のわきの下と乳頭の間の中間部位に接触する構成にする。その中間部位又はその中間部位にできた副乳を重点的に冷やす。
【課題を解決するための手段】
【００１４】
１）産婦の胸部の左右の乳房を被覆する左右の前身頃を開閉可能にした前開き構造の授乳用ブラジャーにおいて、
左右の前身頃の裏側に、それぞれ、冷却具を出し入れする冷却具挿入部を設け、
冷却具は、冷却されて低温になった状態で使用し、使用中に周囲から熱を吸収し、周囲を冷却する機能を有し、
冷却具挿入部は、産婦胸部側の壁を冷却緩和用布で構成し、冷却具挿入部に入れた冷却具が産婦の胸部に冷却緩和用布を介して接触する構成にしたことを特徴とする。
【００１５】
２）上記の授乳用ブラジャーにおいて、
冷却具挿入部に入れた冷却具が胸部の乳房の外側部に冷却緩和用布を介して接触する構成にしたことを特徴とする。
【００１６】
３）上記の授乳用ブラジャーにおいて、
冷却具挿入部に入れた冷却具が胸部のわきの下と乳頭の間の中間部位に冷却緩和用布を介して接触する構成にしたことを特徴とする。
【考案の効果】
【００１７】
授乳用ブラジャーは、授乳期の産婦が着用する。冷却具挿入部に低温状態の冷却具を入れる。すると、その産婦は、胸部が冷却具挿入部内の冷却具で冷却緩和用布を介して冷やされる。気持ちが良くなる。
【考案を実施するための最良の形態】
【００１８】
実施形態の授乳用ブラジャーは、図１と図２に示すように、左右の前身頃１、２と後身頃３及び帯部４を主材料にしている。これらの主材料１〜４は、メリヤス生地であり、伸縮性がある。
【００１９】
左右の前身頃１、２は、それぞれ、産婦の乳房が嵌まる椀状、前側に突出する球殻状に形成している。これらの前身頃１、２は、産婦の左右の乳房の全体を被覆する。左右の前身頃１、２と後身頃３は、上縁同士を縫い合わせて左右の肩部６を形成し、左右の肩部６の間に襟部７を形成している。左右の肩部６は、産婦の左右の肩に載る。襟部７は、産婦の首が通る。また、左右の前身頃１、２と後身頃３は、左縁同士と右縁同士をそれぞれ縫い合わせて、左右の袖ぐり部８を左右の肩部６の下外側に形成している。左右の袖ぐり部８は、産婦の左右の腕が通る。
【００２０】
帯部４は、上縁を左右の前身頃１、２の下縁と後身頃３の下縁に縫い付けている。この帯部４は、産婦の胸部の乳房下側位置に巻き付く。また、帯部４は、左端を左前身頃１の右縁から、右端を右前身頃２の左縁からそれぞれ突出し、左端部の表面と右端部の裏面に雌型の面ファスナ１１と雄型の面ファスナ１２をそれぞれ縫い付けている。雌型の面ファスナ１１に雄型の面ファスナ１２を重ねて連結し、帯部４を輪状に閉鎖すると、左前身頃１の右縁側、内側部に右前身頃２の左縁側、内側部が重なり、左右の前身頃１、２が閉鎖する。左右の前身頃１、２は、面ファスナ１１、１２の連結具で開閉可能にして前開き構造にしている。
【００２１】
左右の前身頃１、２は、それぞれ、裏面の肩部下側部分に裏地２１を重ねて縫い付けている。裏地２１は、厚手のメリヤス生地であり、伸縮性がある。左右の前身頃１、２は、それぞれ、表地に裏地２１を縫い付けるに当り、表地と裏地２１及び縫い糸２２でポケット状の冷却具挿入部２３を形成している。
【００２２】
冷却具挿入部２３は、産婦胸部側の壁を厚手メリヤス生地の裏地２１で構成し、その反対側の壁をメリヤス生地の表地で構成し、出入口２４以外を縫い糸２２で囲んでいる。出入口２４は、襟部７の前側部に開口している。冷却具挿入部２３は、前身頃１、２の外側部に、産婦の胸部の乳房外側部に接する乳房冷却部２５を設け、乳房冷却部２５の上端と出入口２４の間に、産婦の胸部のわきの下と乳頭の間の中間部位に接する副乳冷却部２６を設けている。裏地２１は、冷却具挿入部２３の産婦胸部側の壁であり、熱貫流を抑制する厚手の布であって、冷却緩和用の布を構成している。
【００２３】
冷却具３１、３２は、食品を低温状態に保持する保冷具を転用している。この食品保冷具３１、３２は、長方形平板形状であり、合成樹脂フイルムの袋にゲル状の高分子化合物の保冷剤を密封している。
【００２４】
この授乳用ブラジャーを使用するときは、冷却具３１、３２を家庭などにある冷凍庫に入れて内部の保冷剤を凍らせて低温状態にしておく。授乳期の産婦は、授乳用ブラジャーを着用する。冷凍低温状態にされた冷却具３１は、左右の冷却具挿入部２３にそれぞれ出入口２４から入れ、副乳冷却部２６を通過し、図３に示すように、乳房冷却部２５に没入する。すると、左右の冷却具挿入部２３の乳房冷却部２５に配置された冷却具３１は、それぞれ、冷却緩和用布２１を介して産婦の左右の乳房ｂの外側部に接触する。産婦の左右の乳房ｂは、それぞれ、低温状態の冷却具３１で冷却緩和用布２１を介して穏やかに冷やされる。また、乳房ｂの外側部が重点的に冷やされる。乳房冷却部２５内の冷却具３１は、産婦の胸部に直接に接触しない。なお、左側又は右側の片側の乳房ｂのみを冷やすときには、その片側の冷却具挿入部２３のみに冷却具３１を入れる。
【００２５】
また、胸部のわきの下と乳頭の間の中間部位又はその中間部位にできた副乳を冷やすときは、冷凍低温状態にされた冷却具３２は、左右の冷却具挿入部２３にそれぞれ出入口２４から入れ、図４に示すように、副乳冷却部２６に没入する。すると、左右の冷却具挿入部２３の副乳冷却部２６に配置された冷却具３２は、それぞれ、冷却緩和用布２１を介して産婦の胸部の左右のわきの下と乳頭ｔの間の中間部位又はその中間部位の副乳に接触する。産婦の胸部の上左部と上右部は、それぞれ、低温状態の冷却具３２で冷却緩和用布２１を介して穏やかに冷やされる。また、胸部の左右の上記の中間部位又は副乳が重点的に冷やされる。副乳冷却部２６内の冷却具３２は、産婦の胸部に直接に接触しない。なお、胸部の上左部又は上右部の片側のみを冷やすときには、その片側の冷却具挿入部２３のみに冷却具３２を入れる。
【００２６】
乳房冷却部２５内の冷却具３１又は副乳冷却部２６内の冷却具３２は、周囲の胸部、乳房や副乳などから熱を吸収し、保冷剤が解凍して常温になる。冷却能力がほぼなくなった冷却具３１、３２は、冷却具挿入部２３から取り出す。冷却具挿入部２３には、ほぼ常温の冷却具３１、３２と入れ替えに、冷凍低温状態の冷却具を入れる。
【００２７】
［変形例］
１）上記の実施形態において、冷却具挿入部２３は、乳房冷却部２５と副乳冷却部２６の両方を設けているが、いずれか一方のみを設ける。
２）上記の実施形態において、冷却具挿入部２３の出入口２４は、襟部７の前側部に設けているが、袖ぐり部８の前側部に設ける。又は、襟部７の前側部と袖ぐり部８の前側部の間に設ける。
３）上記の実施形態において、冷却具挿入部２３は、産婦胸部側と反対側の壁を前身頃１、２の表地で構成しているが、前身頃１、２の表地とは別の布で構成する。
４）上記の実施形態において、左右の前身頃１、２と後身頃３及び帯部４は、メリヤス生地であるが、その他の生地にする。
５）上記の実施形態において、左右の前身頃１、２の連結具１１、１２は、面ファスナであるが、その他の連結具にする。
【図面の簡単な説明】
【００２８】
【図１】本考案の実施形態における授乳用ブラジャーの正面図。
【図２】同授乳用ブラジャーの後身頃を切除した状態の背面図。
【図３】同授乳用ブラジャーの冷却具挿入部の乳房冷却部に冷却具を挿入した状態の正面図。
【図４】同授乳用ブラジャーの冷却具挿入部の副乳冷却部に冷却具を挿入した状態の正面図。
【符号の説明】
【００２９】
１  左前身頃
２  右前身頃
３  後身頃
４  帯部
６  肩部
７  襟部
８  袖ぐり部
１１  雌型の面ファスナ、連結具
１２  雄型の面ファスナ、連結具
２１  裏地、冷却具挿入部の産婦胸部側の壁、冷却緩和用布
２２  縫い糸
２３  冷却具挿入部
２４  冷却具挿入部の出入口
２５  冷却具挿入部の乳房冷却部
２６  冷却具挿入部の副乳冷却部
３１、３２  冷却具、食品保冷具
ｂ  乳房
ｔ  乳頭
【図１】
0003129647.tif 000003
【図２】
0003129647.tif 000004
【図３】
0003129647.tif 000005
【図４】
0003129647.tif 000006